(57)【要約】【課題】組み付けしやすい電磁リレーを提供する。【解決手段】電磁リレー１は、リレー本体２と、リレー本体２を収容する収容空間Ｓ１を有するケース３と、リレー本体２に設けられ、ケース３から外部に突出する接続端子４と、を備える。リレー本体２は、固定接点５、可動接点６、及び可動接点６を固定接点５に対して接離させる電磁石装置７を有する。ケース３は、収容空間Ｓ１を囲むケース本体８と、ケース本体８から延長された延長部９と、を有する。ケース本体８は、接続端子４が貫通する底壁１０と、底壁１０に対向する上壁１１と、底壁１０と上壁１１とで収容空間Ｓ１を囲む周壁１２と、を含む。延長部９は、上壁１１から底壁１０とは反対側に突出している。【選択図】図２
2020155240.tif 000002
【特許請求の範囲】
【請求項１】
固定接点、可動接点、及び前記可動接点を前記固定接点に対して接離させる電磁石装置を有するリレー本体と、
前記リレー本体を収容する収容空間を有するケースと、
前記リレー本体に設けられ、前記ケースから外部に突出する接続端子と、
を備え、
前記ケースは、
前記収容空間を囲むケース本体と、前記ケース本体から延長された延長部と、を有し、
前記ケース本体は、
前記接続端子が貫通する底壁と、
前記底壁に対向する上壁と、
前記底壁と前記上壁とで前記収容空間を囲む周壁と、を含み、
前記延長部は、
前記上壁から前記底壁とは反対側に突出している、
電磁リレー。
【請求項２】
前記延長部は、
互いに対向する一対の延長壁を含む、
請求項１に記載の電磁リレー。
【請求項３】
前記周壁は、互いに対向する一対の側壁を含み、
前記一対の延長壁は、前記一対の側壁からそれぞれ延長されている、
請求項２に記載の電磁リレー。
【請求項４】
前記延長部は、
前記一対の延長壁を連結する連結部を更に含む、
請求項２又は３に記載の電磁リレー。
【請求項５】
前記連結部は、前記上壁から突出し、前記一対の延長壁の互いに対向する面をつなぐ連結壁を含む、
請求項４に記載の電磁リレー。
【請求項６】
前記連結部は、前記上壁に対向し、前記一対の延長壁のそれぞれの上端部をつなぐ連結上壁を含む、
請求項４又は５に記載の電磁リレー。
【請求項７】
前記延長部は、
前記上壁から突出し、前記一対の延長壁の間に位置する中間壁を更に含み、
前記中間壁と前記連結壁とは、交差している、
請求項５に記載の電磁リレー。
【請求項８】
前記収容空間は、密閉された空間である、
請求項１から７のいずれか一項に記載の電磁リレー。
【発明の詳細な説明】
【技術分野】
【０００１】
本開示は、電磁リレーに関する。
【背景技術】
【０００２】
特許文献１には、電磁石を用いて固定接点に対して可動接点を接触・離間させる電磁継電器（電磁リレー）が記載されている。
【０００３】
この電磁リレーは、固定接点、可動接点及び電磁石を有する本体部と、この本体部を内部に収容するケースと、を備えている。
【０００４】
ケースは、本体部と同程度の大きさの収容空間を有しており、ケースの大きさは、本体部の大きさよりも僅かに大きい程度である。
【先行技術文献】
【特許文献】
【０００５】
【特許文献１】特開２０１１−１８４６５号公報
【発明の概要】
【発明が解決しようとする課題】
【０００６】
ところで、特許文献１に記載の電磁リレーでは、組み付け先に対して組み付けしやすくすることまでは考慮されていない。
【０００７】
本開示は、組み付けしやすい電磁リレーを提供することを、目的とする。
【課題を解決するための手段】
【０００８】
本開示に係る一態様の電磁リレーは、リレー本体と、前記リレー本体を収容する収容空間を有するケースと、前記リレー本体に設けられ、前記ケースから外部に突出する接続端子と、を備える。前記リレー本体は、固定接点、可動接点、及び前記可動接点を前記固定接点に対して接離させる電磁石装置を有する。前記ケースは、前記収容空間を囲むケース本体と、前記ケース本体から延長された延長部と、を有する。前記ケース本体は、前記接続端子が貫通する底壁と、前記底壁に対向する上壁と、前記底壁と前記上壁とで前記収容空間を囲む周壁と、を含む。前記延長部は、前記上壁から前記底壁とは反対側に突出している。
【発明の効果】
【０００９】
本開示によれば、組み付けしやすい電磁リレーを提供することができる。
【図面の簡単な説明】
【００１０】
【図１】図１は、一実施形態の電磁リレーを示す斜視図である。
【図２】図２は、同上の電磁リレーを示す断面図である。
【図３】図３は、同上の電磁リレーのケースを分解した状態を示す斜視図である。
【図４】図４は、同上の電磁リレーが備えるケースを示す平面図である。
【図５】図５Ａは、図４のＡ−Ａ線における断面図であり、図５Ｂは、図４のＢ−Ｂ線における断面図である。
【図６】図６は、同上のケースの平断面図である。
【図７】図７Ａは、同上のケースの変形例１を示す平面図であり、図７Ｂは、同上のケースの変形例２を示す平面図である。図７Ｃは、同上のケースの変形例３を示す平面図であり、図７Ｄは、同上のケースの変形例４を示す平面図である。図７Ｅは、同上のケースの変形例５を示す平面図である。
【発明を実施するための形態】
【００１１】
１．概要
図１及び図２に示す一実施形態の電磁リレー１は、リレー本体２と、リレー本体２を収容する収容空間Ｓ１を有するケース３と、リレー本体２に設けられ、ケース３から外部に突出する接続端子４と、を備える。リレー本体２は、固定接点５、可動接点６、及び可動接点６を固定接点５に対して接離させる電磁石装置７を有する。ケース３は、収容空間Ｓ１を囲むケース本体８と、ケース本体８から延長された延長部９と、を有する。ケース本体８は、接続端子４が貫通する底壁１０と、底壁１０に対向する上壁１１と、底壁１０と上壁１１とで収容空間Ｓ１を囲む周壁１２と、を含む。延長部９は、上壁１１から底壁１０とは反対側に突出している。
【００１２】
上記構成を備えることで、本実施形態の電磁リレー１では、収容空間Ｓ１を囲むケース本体８から突出する延長部９を持って、相手先に接続端子４を接続することができて、延長部９を有さないものと比べて、組み付けしやすい。また、本実施形態の電磁リレー１では、ケース本体８の収容空間Ｓ１の大きさは、従来と同様にリレー本体２と同程度とすることができるため、ケース本体８の内面やリレー本体２に結露や氷結が発生することを抑えることができる。
【００１３】
２．詳細
続いて、本実施形態の電磁リレー１について、更に詳しく説明する。
【００１４】
本実施形態の電磁リレー１は、ヒンジ形電磁リレーであり、例えば自動車や二輪自動車などの電動車両に用いられる。なお、電磁リレー１の用途は、電動車両に限定されない。
【００１５】
図１に示すように、ケース３は、直方体状である。本明細書中では、ケース３から外部に突出する接続端子４の突出方向を下方とし、その反対方向を上方とし、ケース３を上方から見たときに、ケース３の長手方向を左右方向とし、ケース３の短手方向を前後方向として、各構成について説明する。
【００１６】
まず、リレー本体２及び接続端子４について説明する。
【００１７】
図２及び図３に示すように、リレー本体２は、電磁石装置７と、接点ブロック１３とを備える。接続端子４は、固定接点接続端子４０と、可動接点接続端子４１と、一対のコイル接続端子４２とを備える。
【００１８】
固定接点接続端子４０と、可動接点接続端子４１と、一対のコイル接続端子４２のそれぞれは、金属製の端子であり、銅などの導電性材料により形成されている。接続端子４０，４１，４２のそれぞれは、外部の電気接続部品としての刃受け部品（図示せず）に接続される。可動接点接続端子４１は、可動接点６が取り付けられるコモン端子（ＣＯＭ端子）である。接続端子４０，４１，４２のそれぞれは、一部（上部）がケース３の収容空間Ｓ１内に収容され、残りの部分がケース３の底壁１０を貫通して、底壁１０から下方に突出する。
【００１９】
電磁石装置７は、コイル７０と、ボビン７１と、鉄心７２と、継鉄７３と、接極子７４とを備えている。
【００２０】
ボビン７１は、筒部７１０と、一対の鍔部７１１，７１２とを備えている。筒部７１０は、中空円筒状である。一対の鍔部７１１，７１２は、例えば略矩形板状に形成されており、筒部７１０の軸方向の両端（上端と下端）に形成されている。筒部７１０及び一対の鍔部７１１，７１２は、樹脂などの絶縁材料により一体に形成されている。筒部７１０のうち、鍔部７１１と鍔部７１２との間の部分にコイル７０が巻回されている。コイル７０の先端部分は、一対のコイル接続端子４２のそれぞれに巻回されて、半田などによって接続されている。
【００２１】
鉄心７２は、ボビン７１の筒部７１０に通されており、鉄心７２の下端面が接極子７４に対向している。鉄心７２は、軸部７２０と、鍔部７２１とを備えている。軸部７２０は、柱状に形成されており、より詳細には長尺円柱状に形成されている。鍔部７２１は、軸部７２０の一端（下端）に設けられている。軸部７２０及び鍔部７２１は、磁性材料により一体に形成されている。
【００２２】
継鉄７３は、第１の片７３０と、第２の片７３１とを備えており、略Ｌ字状に形成されている。第１の片７３０及び第２の片７３１は、磁性材料により一体に形成されている。第１の片７３０は、ボビン７１の鍔部７１１に形成された凹部７１３に配置されている。第１の片７３０は、貫通孔７３２を有している。貫通孔７３２には、鉄心７２が通されている。第２の片７３１は、第１の片７３０の一端（左端）より第１の片７３０に対して直角に延びている。第２の片７３１は、ボビン７１の筒部７１０の軸方向（上下方向）に沿っている。
【００２３】
接極子７４は、後述の可動ばね１４の可動部１４０に取り付けられており、可動部１４０と一体に変位する。より詳細には、接極子７４は、可動部１４０に取り付けられて鉄心７２の鍔部７２１に対向して配置されている。接極子７４は、磁性材料によって長尺平板状に形成されている。接極子７４の一端（左端）は、継鉄７３の第２の片７３１に当たっている。
【００２４】
接点ブロック１３は、固定接点５と、可動接点６と、可動ばね１４とを備えている。
【００２５】
固定接点５は、固定接点接続端子４０に取り付けられている。可動接点６は、可動ばね１４に取り付けられている。可動接点６は、固定接点５と対向する位置に設けられている。可動部１４０は、銅などの導電性材料により形成されている。
【００２６】
可動ばね１４は、コイル７０への通電の入り切りに応じて可動接点６が固定接点５に接離（接触又は離間）するように構成されている。
【００２７】
上述したリレー本体２は、下記のように動作する。
【００２８】
まず、コイル７０が通電される前では、接極子７４が鉄心７２から離れ、可動接点６が固定接点５から離れている。
【００２９】
その後、コイル７０が通電されると、鉄心７２が磁化され、鉄心７２の鍔部７２１に接極子７４が引き寄せられていく。これに伴い、接極子７４と一体の可動ばね１４の可動部１４０の先端（右端）が変位する。その後、可動接点６が固定接点５に接触する。その結果、可動接点６と固定接点５との間は導通される。
【００３０】
一方、コイル７０への通電が遮断されると、鉄心７２は消磁され、可動ばね１４の弾性作用によって接極子７４が鉄心７２の鍔部７２１から離れるとともに、可動ばね１４の可動部１４０が変位する。これに伴い、可動接点６が固定接点５から離れる。その結果、可動接点６と固定接点５との間は、電気的に遮断される。
【００３１】
続いて、ケース３について説明する。
【００３２】
図３に示すように、ケース３は、収容空間Ｓ１を囲むケース本体８と、ケース本体８から延長された延長部９と、を備える。ケース本体８は、底壁１０と、上壁１１と、上壁１１と一体の周壁１２と、を備える。ケース３は、上壁１１と周壁１２と延長部９とで構成される第一パーツと、底壁１０のみで構成される第二パーツとを組み合わせて形成される。
【００３３】
図５Ａ及び図５Ｂに示すように、上壁１１及び周壁１２は、下面が開口した矩形の箱型をなしている。上壁１１は、矩形板状であり、周壁１２は、矩形枠状である。
【００３４】
周壁１２は、互いに対向する一対の側壁１２０，１２１と、互いに対向する一対の側壁１２２，１２３とで構成されている。言い換えると、周壁１２は、互いに対向する一対の側壁１２０，１２１を含み、周壁１２は、互いに対向する一対の側壁１２２，１２３を含む。一対の側壁１２０，１２１は、上壁１１の短手方向（前後方向）に対向している。一対の側壁１２２，１２３は、上壁１１の長手方向（左右方向）に対向している。以下、一対の側壁１２０，１２１を、一対の第一側壁１２０，１２１と記載し、一対の側壁１２２，１２３を、一対の第二側壁１２２，１２３と記載する。
【００３５】
一対の第一側壁１２０，１２１は、上壁１１の短手方向の両端部（前後の端部）から下方に突出している。一対の第二側壁１２２，１２３は、上壁１１の長手方向の両端部（左右の端部）から下方に突出している。一対の第一側壁１２０，１２１と一対の第二側壁１２２，１２３は、平面視矩形枠状につながっている。
【００３６】
上壁１１の前後の端面と、一対の第一側壁１２０，１２１の外面（前後方向の外側の面）は、面一に並んでいる。上壁１１の左右の端面と、一対の第二側壁１２２，１２３の外面（左右方向の外側の面）は、面一に並んでいる。上壁１１、一対の第一側壁１２０，１２１、及び一対の第二側壁１２２，１２３は、厚み（壁厚）が互いに略同じである。
【００３７】
本実施形態では、一対の第一側壁１２０，１２１の互いに対向する面の下端部には、底壁１０の取り付けに用いられる爪１２４が設けられている。
【００３８】
図２及び図３に示すように、底壁１０は、本実施形態では、矩形板状である。底壁１０は、周壁１２の下端部に嵌まり込む形状である。底壁１０の外周面のうち、一対の爪１２４（図５Ａ参照）のそれぞれに対向する部分には、対応する爪１２４が収まる凹み１００が設けられている。
【００３９】
底壁１０には、固定接点接続端子４０が通される貫通孔１０１と、可動接点接続端子４１が通される貫通孔１０２と、一対のコイル接続端子４２のそれぞれが通される一対の貫通孔１０３と、が設けられている。底壁１０は、貫通孔１０１，１０２，１０３のそれぞれに接続端子４０，４１，４２を貫通させることで、リレー本体２に取り付けられる。
【００４０】
図４から図６に示すように、延長部９は、互いに対向する一対の延長壁１５を含む。延長部９は、一対の延長壁１５を連結する連結部１６を更に含む。連結部１６は、上壁１１から突出し、一対の延長壁１５の互いに対向する面１５０をつなぐ連結壁１７を含む。連結部１６は、上壁１１に対向し、一対の延長壁１５の上端部をつなぐ連結上壁１８を含む。延長部９は、上壁１１から突出し、一対の延長壁１５の間に位置する中間壁１９を更に含む。
【００４１】
一対の延長壁１５は、上壁１１の短手方向（前後方向）の両端部から上方に突出している。一対の延長壁１５は、上壁１１の左右方向の全長にわたるように設けられている。つまり、一対の延長壁１５のそれぞれの左右方向の長さは、上壁１１の左右方向の長さと同じである。一対の延長壁１５は、互いに平行である。一対の延長壁１５のそれぞれは、上壁１１の長手方向（左右方向）を長手方向とする壁である。
【００４２】
一対の延長壁１５は、一対の第一側壁１２０，１２１からそれぞれ延長されている。言い換えると、一対の延長壁１５と一対の第一側壁１２０，１２１は、上下方向に並んでいる。一対の延長壁１５の外面（前後方向の外側を向く面）は、上壁１１の前後の面に対して面一である。
【００４３】
中間壁１９は、一対の延長壁１５に沿う壁であり、一対の延長壁１５のそれぞれに対して平行である。中間壁１９は、一対の延長壁１５の間の中間部分に位置している。つまり、一対の延長壁１５のそれぞれから中間壁１９までの距離は、同じである。
【００４４】
中間壁１９は、上壁１１の短手方向の中間部から上方に突出している。中間壁１９は、上壁１１の左右方向の全長にわたるように設けられている。中間壁１９の左右方向の長さは、上壁１１及び一対の延長壁１５の左右方向の長さと同じである。
【００４５】
連結壁１７は、前後方向を長手方向とする壁である。連結壁１７は、上壁１１の左右方の中間部から上方に突出している。連結壁１７は、一対の延長壁１５の互いに対向する面１５０（つまり前後方向の内側を向く面）のうち、左右方向の中間部につながっている。連結壁１７は、一対の延長壁１５のそれぞれに対して直交するようにつながっている。連結壁１７は、前後方向の中間部において、中間壁１９と交差している。連結壁１７と中間壁１９とは直交している。
【００４６】
連結上壁１８は、上壁１１に対して平行な壁である。連結上壁１８は、矩形板状である。連結上壁１８は、平面視における外形が上壁１１の外形と同じである。連結上壁１８は、一対の延長壁１５、中間壁１９、及び連結壁１７のそれぞれの上端部につながっている。詳しくは、連結上壁１８の前後の両端部が、一対の延長壁１５の上端部につながっている。連結上壁１８の前後方向の中間部が、中間壁１９の上端部につながっている。連結上壁１８の左右方向の中間部が、連結壁１７の上端部につながっている。
【００４７】
図３及び図４に示すように、連結上壁１８の上面１８０の前後方向及び左右方向の中央部には、ゲート跡１８１が形成されている。ゲート跡１８１は、中間壁１９と連結壁１７とが交差する部分の上方に位置している。
【００４８】
図４から図６に示すように、延長部９には、一対の延長壁１５のうちの一方、中間壁１９、連結壁１７、連結上壁１８及び上壁１１によって囲まれて形成される四つの中空部２０が設けられている。４つの中空部２０のそれぞれは、左右方向の外側に向けて開口している。
【００４９】
延長部９を構成する、一対の延長壁１５、中間壁１９、連結壁１７、及び連結上壁１８は、厚み（壁厚）が互いに略同じである。一対の延長壁１５、中間壁１９、連結壁１７、及び連結上壁１８のそれぞれの壁厚は、上壁１１、及び側壁１２０，１２１，１２２，１２３のそれぞれの壁厚よりも若干大きい。
【００５０】
ケース本体８の上壁１１及び周壁１２と延長部９は、金型を用いて一体に形成される樹脂成型品である。上壁１１と周壁１２と延長部９は、金型のうち、延長部９の連結上壁１８の上面１８０の中央部に対向する箇所から樹脂を流し込むことによって形成される。これにより、ゲート跡１８１が、連結上壁１８の上面１８０の中央部に形成される。底壁１０は、上壁１１と周壁１２と延長部９を成形する金型とは別の金型を用いて形成される樹脂成型品である。
【００５１】
以上説明したケース３の周壁１２の下端部に対して、リレー本体２及び接続端子４に取り付けた底壁１０を嵌め込むことで、電磁リレー１が形成される。
【００５２】
電磁リレー１では、ケース本体８の収容空間Ｓ１にリレー本体２が収容される。収容空間Ｓ１は、本実施形態では、直方体状の空間である。収容空間Ｓ１は、リレー本体２よりも僅かに大きい。収容空間Ｓ１は、本実施形態では、密閉された空間である。つまり、収容空間Ｓ１は、電磁リレー１の外部空間とはつながっておらず、内部の水分量（水蒸気の量）の増加を抑制できる。
【００５３】
なお、底壁１０と周壁１２の間や、底壁１０の各貫通孔１０１，１０２，１０３と各接続端子４０，４１，４２の間には、シーリング材を充填することで、隙間を閉塞してもよい。シーリング材により、底壁１０と周壁１２の下端部とが接着される。
【００５４】
３．作用効果
以上説明した本実施形態の電磁リレー１では、ケース３が収容空間Ｓ１を囲むケース本体８とケース本体８の上壁１１から底壁１０とは反対側（つまり上側）に突出する延長部９とを備えている。
【００５５】
そのため、本実施形態の電磁リレー１では、延長部９の分だけケース３が長くなっているため、この延長部９を手の指や組み付け装置のアーム等で持って支持しやすく、組み付け先に対して組み付けしやすい。
【００５６】
また、本実施形態の電磁リレー１では、ケース本体８の収容空間Ｓ１の大きさは、従来例と同様に、リレー本体２と同程度の大きさであるため、ケース３を長く設けることによって、収容空間Ｓ１が拡大されることを防ぐことができる。そのため、本実施形態の電磁リレー１では、収容空間Ｓ１が拡大して含有する水分量が増えることを防ぐことができ、ケース３の内面やリレー本体２に結露が発生することを防ぐことができる。特に寒冷地で使用される電動車両に、本実施形態の電磁リレー１を用いる場合、結露水の氷結を抑制できて、電磁リレー１の機能の低下を抑えることができる。
【００５７】
また、本実施形態の電磁リレー１では、延長部９を、一対の延長壁１５と中間壁１９と連結壁１７と連結上壁１８とで構成したことで、延長部９の強度を確保したうえで、延長部９の軽量化が図れ、電磁リレー１の取り扱いがしやすい。
【００５８】
また、本実施形態の電磁リレー１では、ゲート跡１８１が、連結上壁１８の上面１８０の中央部に形成されている。そのため、樹脂成型の際に、樹脂を、連結上壁１８、中間壁１９、連結壁１７、一対の延長壁１５、上壁１１、一対の第一側壁１２０，１２１、及び一対の第二側壁１２２，１２３に流しやすく、成形しやすい。
【００５９】
また、本実施形態の電磁リレー１では、連結上壁１８、中間壁１９、連結壁１７、及び一対の延長壁１５の壁厚が同程度であるため、樹脂を流しやすい。また、本実施形態の電磁リレー１では、ゲート跡１８１から距離が離れた上壁１１、一対の第一側壁１２０，１２１、及び一対の第二側壁１２２，１２３の壁厚が、連結上壁１８、中間壁１９、連結壁１７、及び一対の延長壁１５の壁厚に比べて若干小さい。そのため、上壁１１、一対の第一側壁１２０，１２１、及び一対の第二側壁１２２，１２３まで樹脂を流し込みやすい。
【００６０】
４．変形例
続いて、上述した実施形態の電磁リレー１の変形例について説明する。
【００６１】
延長部９は、上壁１１から底壁１０とは反対側（つまり上側）に突出し、指等で支持可能なものであればよく、図４から図６に示す形状に限定されない。
【００６２】
例えば、延長部９は、図７Ａに示す変形例１のように、一対の延長壁１５のみで構成されてもよい。この場合、ゲート跡１８１は、例えば上壁１１の上面の前後方向及び左右方向の中央部に形成される。
【００６３】
また、延長部９は、図７Ｂに示す変形例２のように、一対の延長壁１５と連結壁１７と連結上壁１８とで構成されてもよい。また、延長部９は、図７Ｃに示す変形例３のように、一対の延長壁１５と中間壁１９と連結上壁１８とで構成されてもよい。また、延長部９は、図７Ｄに示す変形例４のように、一対の延長壁１５と中間壁１９と連結壁１７とで構成されてもよい。この場合、ゲート跡１８１は、連結壁１７と中間壁１９が交差する部分の上面に形成される。
【００６４】
また、延長部９は、図７Ｅに示す変形例５のように、各中空部２０の開口する方向が、前後方向外側であってもよい。言い換えると、延長部９は、第二側壁１２２，１２３から延長される一対の延長壁１５を備えてもよい。変形例５では、一対の延長壁１５は、上壁１１の左右の端部から前後方向の全長にわたって上方に突出している。中間壁１９は、上壁１１の左右方向の中間部から前後方向の全長にわたって上方に突出している。連結壁１７は、上壁１１の前後方向の中間部から左右方向の全長にわたって上方に突出している。連結壁１７は、一対の延長壁１５の互いに対向する面１５０の前後方向の中間部につながっている。
【００６５】
また、一対の延長壁１５は、互いに対向すればよく、上壁１１における突出位置は、左右方向の両端部又は前後方向の両端部に限定されない。また、一対の延長壁１５が対向する方向は、左右方向又は前後方向に限らず、左右方向又は前後方向に対して傾いた方向であってもよい。
【００６６】
また、連結部１６は、連結壁１７と連結上壁１８のうちの少なくとも一方に限定されず、例えば、上壁１１から離れて位置する棒状の部材であってもよい。
【００６７】
また、一対の延長壁１５における連結壁１７がつながる部分は、一対の延長壁１５の長手方向の中間部に限らず、その他の部分であってもよい。
【００６８】
また、中間壁１９は、一対の延長壁１５の間に位置すればよく、一対の延長壁１５に対して平行でなくてもよく、また、一対の延長壁１５のうちどちらか一方に寄った位置に配置されてもよい。
【００６９】
また、連結壁１７と中間壁１９とは、直交しなくてもよく、９０°とは異なる角度で交差してもよい。
【００７０】
また、延長部９は、一対の延長壁１５を備える態様に限らず、例えば、指等で支持可能な大きさ及び形状に設けられた一つの突起で構成されてもよい。また、延長部９は、上壁１１の厚みを、延長部９の長さの分だけ増やしたものであってもよく、各中空部２０を有さなくてもよい。この場合、上壁１１のうち、上壁１１の下面から周壁１２の壁厚と同じ厚みの部分を除いた残りの部分が、延長部９である。
【００７１】
また、収容空間Ｓ１は、密閉された空間に限らず、電磁リレー１の外部空間に対してつながった空間であってもよい。
【００７２】
５．まとめ
以上説明した一実施形態及びその変形例の電磁リレー１のように、第一態様の電磁リレー（１）は、下記の構成を備える。
【００７３】
すなわち、第一態様の電磁リレー（１）は、リレー本体（２）と、リレー本体（２）を収容する収容空間（Ｓ１）を有するケース（３）と、リレー本体（２）に設けられ、ケース（３）から外部に突出する接続端子（４）と、を備える。リレー本体（２）は、固定接点（５）、可動接点（６）、及び可動接点（６）を固定接点（５）に対して接離させる電磁石装置（７）を有する。ケース（３）は、収容空間（Ｓ１）を囲むケース本体（８）と、ケース本体（８）から延長された延長部（９）と、を有する。ケース本体（８）は、接続端子（４）が貫通する底壁（１０）と、底壁（１０）に対向する上壁（１１）と、底壁（１０）と上壁（１１）とで収容空間（Ｓ１）を囲む周壁（１２）と、を含む。延長部（９）は、上壁（１１）から底壁（１０）とは反対側に突出している。
【００７４】
上記構成を備えることで、第一態様の電磁リレー（１）では、収容空間（Ｓ１）を囲むケース本体（８）から突出する延長部（９）を持って、相手先に接続端子（４）を接続することができて、延長部（９）を有さないものと比べて、組み付けしやすい。また、第一態様の電磁リレー（１）では、ケース本体（８）の収容空間（Ｓ１）の大きさは、従来と同様にリレー本体（２）と同程度とすることができるため、ケース本体（８）の内面やリレー本体（２）に結露や氷結が発生することを抑えることができる。
【００７５】
また、上述した一実施形態及びその変形例の電磁リレー１のように、第二態様の電磁リレー（１）は、第一態様の電磁リレー（１）の構成に加えて、下記の構成を付加的に備える。
【００７６】
すなわち、第二態様の電磁リレー（１）では、延長部（９）は、互いに対向する一対の延長壁（１５）を含む。
【００７７】
上記構成を備えることで、第二態様の電磁リレー（１）では、互いに対向する一対の延長壁（１５）といった簡単な構成で延長部（９）を形成することができる。
【００７８】
また、上述した一実施形態及びその変形例の電磁リレー１のように、第三態様の電磁リレー（１）は、第二態様の電磁リレー（１）の構成に加えて、下記の構成を付加的に備える。
【００７９】
すなわち、第三態様の電磁リレー（１）では、周壁（１２）は、互いに対向する一対の側壁（１２０，１２１又は１２２，１２３）を含む。一対の延長壁（１５）は、一対の側壁（１２０，１２１又は１２２，１２３）からそれぞれ延長されている。
【００８０】
上記構成を備えることで、第三態様の電磁リレー（１）では、一対の延長壁（１５）と一対の側壁（１２０，１２１又は１２２，１２３）とを一体に樹脂成型する際に、この間で樹脂が流れやすくて、成形しやすい。
【００８１】
また、上述した一実施形態及びその変形例の電磁リレー１のように、第四態様の電磁リレー（１）は、第二又は第三態様の電磁リレー（１）の構成に加えて、下記の構成を付加的に備える。
【００８２】
すなわち、第四態様の電磁リレー（１）では、延長部（９）は、一対の延長壁（１５）を連結する連結部（１６）を更に含む。
【００８３】
上記構成を備えることで、第四態様の電磁リレー（１）では、一対の延長壁（１５）を連結部（１６）によって連結して補強することができ、一対の延長壁（１５）が持ちやすい。
【００８４】
また、上述した一実施形態及びその変形例の電磁リレー１のように、第五態様の電磁リレー（１）は、第四態様の電磁リレー（１）の構成に加えて、下記の構成を付加的に備える。
【００８５】
すなわち、第五態様の電磁リレー（１）では、連結部（１６）は、上壁（１１）から突出し、一対の延長壁（１５）の互いに対向する面（１５０）をつなぐ連結壁（１７）を含む。
【００８６】
上記構成を備えることで、第五態様の電磁リレー（１）では、上壁（１１）から突出した連結壁（１７）を介して一対の延長壁（１５）を連結することができて、一対の延長壁（１５）の補強がしやすい。また、第五態様の電磁リレー（１）では、一対の延長壁（１５）と連結壁（１７）と上壁（１１）とがつながっているため、一体に樹脂成型しやすい。
【００８７】
また、上述した一実施形態及びその変形例の電磁リレー１のように、第六態様の電磁リレー（１）は、第四又は第五態様の電磁リレー（１）の構成に加えて、下記の構成を付加的に備える。
【００８８】
すなわち、第六態様の電磁リレー（１）では、連結部（１６）は、上壁（１１）に対向し、一対の延長壁（１５）のそれぞれの上端部をつなぐ連結上壁（１８）を含む。
【００８９】
上記構成を備えることで、第六態様の電磁リレー（１）では、一対の延長壁（１５）を連結上壁（１８）を介して連結することができて、一対の延長壁（１５）の補強がしやすい。また、第六態様の電磁リレー（１）では、連結上壁（１８）と一対の延長壁（１５）と上壁（１１）とがつながっているため、一体に樹脂成型しやすい。
【００９０】
また、上述した一実施形態及びその変形例の電磁リレー１のように、第七態様の電磁リレー（１）は、第五態様の電磁リレー（１）の構成に加えて、下記の構成を付加的に備える。
【００９１】
すなわち、第七態様の電磁リレー（１）では、延長部（９）は、上壁（１１）から突出し、一対の延長壁（１５）の間に位置する中間壁（１９）を更に含む。中間壁（１９）と連結壁（１７）とは、交差している。
【００９２】
上記構成を備えることで、第七態様の電磁リレー（１）では、一対の延長壁（１５）を、互いに交差する中間壁（１９）と連結壁（１７）によって補強することができて、一対の延長壁（１５）を補強しやすい。また、第七態様の電磁リレー（１）では、中間壁（１９）と連結壁（１７）の交差する部分に樹脂を注入することで、中間壁（１９）と連結壁（１７）と一対の延長壁（１５）と上壁（１１）のそれぞれに樹脂を送ることができて、樹脂成型しやすい。
【００９３】
また、上述した一実施形態及びその変形例の電磁リレー１のように、第八態様の電磁リレー（１）は、第一から第七態様のいずれか一つの電磁リレー（１）の構成に加えて、下記の構成を付加的に備える。
【００９４】
すなわち、第八態様の電磁リレー（１）では、収容空間（Ｓ１）は、密閉された空間である。
【００９５】
上記構成を備えることで、第八態様の電磁リレー（１）では、電磁リレー（１）の外部空間の空気が、収容空間（Ｓ１）内に入り込んで収容空間（Ｓ１）内の水分量が増加することを抑制できる。そのため、第八態様の電磁リレー（１）では、ケース本体（８）の内面やリレー本体（２）に結露や氷結が発生することを抑えることができる。
【００９６】
以上、本開示を添付図面に示す実施形態に基づいて説明したが、本開示は上記の実施形態に限定されるものではなく、本開示の意図する範囲内であれば、適宜の設計変更が可能である。
【符号の説明】
【００９７】
１      電磁リレー
２      リレー本体
３      ケース
４      接続端子
５      固定接点
６      可動接点
７      電磁石装置
８      ケース本体
９      延長部
１０    底壁
１１    上壁
１２    周壁
１２０  側壁（第一側壁）
１２１  側壁（第一側壁）
１２２  側壁（第二側壁）
１２３  側壁（第二側壁）
１５    延長壁
１５０  対向する面
１６    連結部
１７    連結壁
１８    連結上壁
１９    中間壁
Ｓ１    収容空間
【図１】
2020155240.tif 000003
【図２】
2020155240.tif 000004
【図３】
2020155240.tif 000005
【図４】
2020155240.tif 000006
【図５】
2020155240.tif 000007
【図６】
2020155240.tif 000008
【図７】
2020155240.tif 000009